(57)【要約】【課題】この発明は、餌の取り付けが容易であり、しかも魚がどの方向からも餌に食いつくことができて、釣果を上げることができる釣り用仕掛けを提供することを目的とする。【解決手段】上述の課題を解決するため、この発明の釣り用仕掛け１は、複数の釣り針３ｂが放射状に組み合わされた複合釣り針３が線状部材２の一端側に着脱可能に取り付けられ、おもり６と道糸取り付け部７とえさ固定用鉤８とえさ固定ワイヤー９が線状部材２の他端側に設けられていることを特徴とするものである。【選択図】図１
2006280315.tif 000002
【特許請求の範囲】
【請求項１】
複数の釣り針が放射状に組み合わされた複合釣り針が線状部材の一端側に着脱可能に取り付けられ、おもりと道糸取り付け部とえさ固定用鉤とえさ固定ワイヤーが線状部材の他端側に設けられていることを特徴とする釣り用仕掛け。
【発明の詳細な説明】
【技術分野】
【０００１】
この発明は、太刀魚などを釣るための仕掛けに関するものである。
【背景技術】
【０００２】
特許文献１には重錘と道糸挿通孔と横長の釣針本体とより成る太刀魚釣り用針において、釣針の近傍に刺針を前記釣針と略平行になるように設け、該釣針端縁の刺針反対位置に係止部を設けたことを特徴とするものが記載されている。
【０００３】
また、特許文献２には太刀魚用釣針が記載されている。この太刀魚用釣針は、道糸係止部を設けた錘に、道糸係止部とほぼ直角に設けた釣針が係止手段により着脱自在に取り付けられ、釣針の軸の錘側端部の先端は尖鋭にされている。また、道糸係止部に軸方向に突出部が設けられ、その突出部に複数個の道糸係止孔が軸と平行に配置されている。さらに、かぎ形餌刺針が軸方向に回動自在に取り付けられている。さらに、前記係止手段として、軸の錘側端部に孔が設けられ、この孔に係止具を係止するようになっている。
【特許文献１】実開平６−３３４６５号
【特許文献２】特開平８−１６３９３９号
【発明の開示】
【発明が解決しようとする課題】
【０００４】
特許文献１に記載の太刀魚釣り用針は、餌である小魚を刺針に取り付けるものであるが、この小魚の腹部に沿って釣針本体の線状部が存在する。したがって、太刀魚などの魚は、餌の下方から食いつくことができない。一度、食いつこうとして硬い金属線を噛むと、もうそれ以上は餌に食いつこうとしなくなる。
【０００５】
一方、特許文献２に記載の太刀魚用釣針は、釣針の軸に餌の魚を係止するものであり、どの方向からでも太刀魚は餌に食いつくことができる。しかし、この太刀魚用釣針においては、釣針の軸にフックが固定されているために、餌魚をフックの反対側から突き刺すことになる。すなわち、餌魚の尻尾側から釣針の軸の先端を刺して口の方向に向かって貫く。しかし、口から刺すのに比べて、餌魚の尻尾側から刺すのは難しく、特許文献２が述べるように簡単に突き刺すことはできない。特に、キビナゴやイワシのような柔らかい魚を尻尾側から突き刺しにくい。フックに対して反対側の先端部は軸方向に回転しないようにスリーブに取り付けられる必要があるので、先端をある程度の大きさに形成する必要があり、餌魚に刺すときも肉厚のうすい尾びれ近くに差し込むことは難しい。したがって、餌魚の尻尾側ではかなりの長さに渡って釣針の軸が体の外に露出するが、釣りの対象魚は硬い釣針の軸を口に入れてもすぐに吐き出してしまい、深く食いつくことはない。
【０００６】
さらに、フックがついた釣針を手で持って突き刺すことも、作業を行いにくくする。また、突き刺した後も、魚の骨の向きに逆らって軸を通さなければならず、餌魚の形を崩しやすい。
【０００７】
この発明は、餌の取り付けが容易であり、しかも魚がどの方向からも餌に食いつくことができて、釣果を上げることができる釣り用仕掛けを提供することを目的とする。
【課題を解決するための手段】
【０００８】
上述の課題を解決するため、この発明の釣り用仕掛けは、複数の釣り針が放射状に組み合わされた複合釣り針が線状部材の一端側に着脱可能に取り付けられ、おもりと道糸取り付け部とえさ固定用鉤とえさ固定ワイヤーが線状部材の他端側に設けられていることを特徴とするものである。
【発明の効果】
【０００９】
この発明の釣り用仕掛けは複合釣り針を取り外すことができ、餌魚の口から線状部材を刺すことによって簡単に餌を取り付けることができるという効果を有する。魚はどの方向からも餌に食いつくことができる。そして、複数の釣り針が放射状に組み合わされた複合釣り針によって、どの方向の魚も引っ掛けることができるので、釣果が上がるという効果を有する。
【発明を実施するための最良の形態】
【００１０】
この発明を実施するための最良の形態について、図面に基づいて説明する。図１は釣り用仕掛けを示す正面図、図２は釣り用仕掛けの使用状態を示す正面図である。
【００１１】
釣り用仕掛け１は、金属線材でできた線状部材２を有する。この線状部材２は柔軟性のある素材を使用することが好ましい。その長さは、取り付けようとする餌魚の体長にあわせて選択される。線状部材２の一端部には複数の釣り針が放射状に組み合わされた複合釣り針３を取り付けることができる。
【００１２】
複合釣り針３は、中空状の基部３ａを有し、この基部３ａに多数の釣り針３ｂが放射状に設けられている。この例においては、線状部材２の端部に環状部材４が設けられており、クリップ部材５を着脱可能に取り付けることができる。環状部材４は、基部３ａの中空部に通すことができる大きさに形成されており、線状部材２に複合釣り針３を装着した後に、環状部材４にクリップ部材５を取り付けることによって複合釣り針３は外れなくなる。環状部材４は餌魚に差し込めるようにできるだけ小さく形成することが好ましい。
【００１３】
線状部材２の他端部には、おもり６と道糸取り付け部７とえさ固定用鉤８とえさ固定ワイヤー９が設けられている。図１において、道糸取り付け部７とえさ固定用鉤８は線状部材２の上側に設けられる。
【００１４】
つぎに、この釣り用仕掛け１の使用方法について説明する。まず、この釣り用仕掛け１から複合釣り針３と係止具５を取り外した状態にする。このとき、線状部材２の端部は開放された状態になる。この端部を餌魚１０の口より通して線状部材２に取り付ける。餌としては小アジ、ドジョウなど様々な魚が利用でき、キビナゴやマイワシのような柔らかいものも取り付けることができる。線状部材２の端部は小さく形成することができるので、餌魚の尾びれの近くまで突き通すことができる。したがって、線状部材２はほとんど外部に露出しない。
【００１５】
えさ固定用鉤８を餌魚１０の頭部に突き刺し、さらにえさ固定ワイヤー９を巻きつけて餌魚１０を固定する。線状部材２の端部に複合釣り針３を装着し、環状部材４に係止具５を取り付ける。
【００１６】
道糸取り付け部７には、釣竿（図示省略）から伸びた道糸１１が取り付けてある。この状態で、餌魚１０が取り付けられた釣り用仕掛け１を水中に投入して釣りを行う。水中において餌魚は背が上を向いた状態になっており、生きた魚のような自然な姿が保持される。したがって、太刀魚やイカなど釣り対象の魚類は安心して餌に食いつく。魚が餌に食いついたことを感知したら、道糸をしゃくり上げてその魚を複合釣り針３で引っ掛けて捕獲する。この複合釣り針３は放射状に多数の釣針を備えているので、どの方向から魚が餌に食いついても引っ掛けることができ、捕獲できる成功率が極めて高い。また、線状部材２の大部分は餌魚の体内に隠れており、複合釣り針３は餌魚の尾びれを覆うくらいの位置に保持することが可能となるが、このことも対象魚を捕獲する確率を高める。
【００１７】
釣り上げた魚を複合釣り針３から取り外すと、係止具５と複合釣り針３を線状部材２から切り離し、餌魚を交換する。以上、同様の作業を繰り返して釣りを継続する。
【００１８】
なお、線材部材２の長さが異なる複数の釣り用仕掛けを用意しておけば、釣り場の条件に合わせて、異なる体長の餌魚を使用することができる。複合釣り針３も大きさの異なるものを複数用意しておけば、釣れる魚の大きさに合わせて自由に選択することができる。
【産業上の利用可能性】
【００１９】
太刀魚やイカなど、様々な魚を対象とした掛け釣り用の仕掛けとして使用することができる。柔らかい魚を含めて様々な餌魚の取り付けが容易に行え、しかも釣果の上がる釣り用仕掛けとして利用することができる。
【図面の簡単な説明】
【００２０】
【図１】釣り用仕掛けを示す正面図である。
【図２】釣り用仕掛けの使用状態を示す正面図である。
【符号の説明】
【００２１】
１．釣り用仕掛け
２．線状部材
３．複合釣り針
６．おもり
７．道糸取り付け部と
８．えさ固定用鉤
９．えさ固定ワイヤー
【図１】
2006280315.tif 000003
【図２】
2006280315.tif 000004